(57)【要約】      （修正有）【課題】肌に固形石鹸がごつごつと当たることがなく、不快感が生じることがないとともに、泡立てネットに十分空気を保持することが出来、泡立てを十分にできる泡立てネット装置を提供する。【解決手段】泡立てネット装置１は、両端開口で筒状に形成されたネット状の第一の泡立てネット２の内側に第一の泡立てネット２と同心軸上に重ねられた複数本の両端開口で筒状に形成されたネット状の泡立てネットで構成される泡立てネット集合体を複数回外側に折り返して内部に石鹸塗布部５が形成されるとともに周囲に泡立て部６が形成される泡立てネット本体７を構成する。【選択図】図１
0003233785.tif 000002
【実用新案登録請求の範囲】
【請求項１】
両端開口で筒状に形成されたネット状の第一の泡立てネットの内側に前記第一の泡立てネットと同心軸上に重ねられた複数本の両端開口で筒状に形成されたネット状の泡立てネットで構成される泡立てネット集合体を複数回外側に折り返して内部に石鹸塗布部が形成されるとともに周囲に泡立て部が形成される泡立てネット本体と、前記泡立てネット本体の外周胴に設けられて前記泡立て本体を縛る縛り手段とよりなることを特徴とする泡立てネット装置
【請求項２】
前記泡立てネット集合体は、両端開口で筒状に形成されたネット状の前記第一の泡立てネットの内側に前記第一の泡立てネットと同心軸上に重ねられてネット状の泡立てネットが順次挿入されて構成されている請求項１に掲載の泡立てネット装置。
【請求項３】
前記泡立てネット集合体は、ネット状の第一の泡立てネットに複数枚のネット状の泡立てネットを重ねるとともに、前記第一の泡立てネット及び前記泡立てネットの短手方向の両端部を接合することで構成されている請求項１に記載の泡立てネット装置
【請求項４】
前記第一の泡立てネット及び前記泡立てネットは、網目化学繊維材料で形成されている請求項１項乃至３項のいずれか１項に記載の泡立てネット装置。
【請求項５】
前記第一の泡立てネット及び前記泡立てネットは、網目化学繊維材料で線径が０．２５ミリメートルで形成されている請求項１項乃至第４項のいずれか１項に記載の泡立てネット装置。
【考案の詳細な説明】
【技術分野】
【０００１】  本考案は、洗面や浴室で体を洗うのに使用する泡立てネット装置にするのである。
【背景技術】
【０００２】  従来より、泡立てネットは種々提案されているが、例えば、特許文献１に示すものにあっては、泡立てネットの中に固形石鹸を収納し、固形石鹸に泡立てネットを擦り付けて泡立てるものであるが擦り付けることで泡立てネットが破れやすく泡立ネット自体が長持ちしにくく、また固形石鹸が泡立てネットに収納された状態で使用すると、肌に固形石鹸がごつごつと当たり不快感が生じるとともに泡立てネットが一重であるため泡立てネットに十分空気を保持できず泡立てを十分にできないという問題点があった。
【先行技術文献】
【特許文献】
【０００３】
【特許文献１】実用新案登録第３１８００７８号公報
【考案の概要】
【考案が解決しようとする課題】
【０００４】  本考案は、上記問題点を解決するためになされたものであり、肌に固形石鹸がごつごつと当たることが無く、不快感が生じることがないとともに、泡立てネットが多重であるため泡立てネットに十分空気を保持することが出来、泡立てを十分にできる泡立てネット装置を提供することにある。
【課題を解決するための手段】
【０００５】  上記課題を解決するために、本考案の泡立てネット装置は、両端開口で筒状に形成されたネット状の第一の泡立てネットの内側に前記第一の泡立てネットと同心軸上に重ねられた複数本の両端開口で筒状に形成されたネット状の泡立てネットで構成される泡立てネット集合体を複数回外側に折り返して内部に石鹸塗布部が形成されるとともに周囲に泡立て部が形成される泡立てネット本体と、前記泡立てネット本体の外周胴に設けられて前記泡立て本体を縛る縛り手段とよりなることを特徴とする。
また、前記泡立てネット集合体は、両端開口で筒状に形成されたネット状の前記第一の泡立てネットの内側に前記第一の泡立てネットと同心軸上に重ねられてネット状のネットが順次挿入されて構成されているのが望ましい。
また、前記泡立てネット集合体は、ネット状の第一の泡立てネットと複数枚のネット状の泡立てネットを重ねるとともに、前記第一の泡立てネット及び前記泡立てネットの短手方向の両端部を接合することで構成されているのが望ましい。
また、前記第一の泡立てネット及び前記泡立てネットは、網目化学繊維材料で形成されているのが望ましい。
また、前記第一の泡立てネット及び前記泡立てネットは、網目化学繊維材料で線径が０．２５ミリメートルで形成されているのが望ましい。
【考案の効果】
【０００６】  本考案の泡立てネット装置は、両端開口で筒状に形成されたネット状の第一の泡立てネットの内側に前記第一の泡立てネットと同心軸に重ねられた複数本の両端開口で筒状に形成されたネット状の泡立てネットとで構成される泡立てネット集合体を複数回外側に折り返して内部に石鹸塗布部が形成されるとともに、周囲に泡立て部が形成される泡立てネット本体と、前記泡立てネット本体の外周胴に設けられて前記泡立て本体を縛る縛り手段とよりなることを特徴とするものであるから、肌に固形石鹸がごつごつと当たることが無く、不快感が生じることがないとともに、泡立てネットが多重であるため泡立てネットに十分空気を保持することが出来、泡立てを十分にできるという効果がある。
また、請求項２のように、前記泡立てネット集合体は、両端開口で筒状に形成されたネット状の前記第一の泡立てネットの内側に前記第一の泡立てネット同心軸上に重ねられてネット状の泡立てネットが順次挿入されて構成されているものは、前記第一の泡立てネット及び泡立てネットに接合部が無いので均一な剛性があるという効果がある。
また、請求項３のように、前記泡立てネット集合体は、ネット状の第一の泡立てネットに複数枚のネット状の泡立てネットを重ねるとともに、前記第一の泡立てネット及び前記泡立てネットの短手方向の両端部を接合することで構成されているものは、前記第一の泡立てネットの内側に前記第一の泡立てネット同心軸上に重ねられてネット状の泡立てネットが順次挿入しなくても泡立てネット集合体を製造でき、容易に製造できるという効果がある。
また、請求項４のように、前記第一の泡立てネット及び前記泡立てネットは、網目化学繊維材料で形成されているものは、乾燥しやすいという効果がある。
また、請求項５のように、前記第一の泡立てネット及び前記泡立てネットは、網目化学繊維材料で線径が０．２５ミリメートルで形成されているものは、短時間でキメの細かいしっかりとツノが立つ泡が出来るという効果がある。
【図面の簡単な説明】
【０００７】
【図１】本考案に係る泡立ネットの一実施例の一部を切欠した外観斜視図である。
【図２】本考案の第一の泡立てネットと、泡立てネットの斜視図である。
【図３】本考案の第一の泡立てネットの内側に泡立てネットを挿入させた泡立てネット集合体の斜視図である。
【図４】本考案の泡立てネット集合体の下端を上方に複数回外側に折り返し、その上部を細い紐で縛った外観斜視図である。
【考案を実施するための形態】
【０００８】  以下、本考案の実施の形態を図１乃至図４に基づいて詳説すると、泡立てネット装置１は、両端開口で筒状に形成されたネット状の第一の泡立てネット２の内側に前記第一の泡立てネット２と同心軸上に重ねられて順次挿入される複数本の両端開口で筒状に形成されたネット状の泡立てネット３とで構成される泡立てネット集合体４の下端を上方に三回外側に折り返して内部に石鹸塗布部５が形成されるとともに、周囲に８重になった泡立て部６が形成される泡立てネット本体７と、前記泡立てネット本体７の外周胴に設けられて前記泡立て本体７を縛る縛り手段８とよりなっている。泡立てネット集合体４の下端を上方に三回外側に折り返して内部に石鹸塗布部５が形成されるとともに、周囲に８重になった泡立て部６が形成される泡立てネット本体７を形成したが、２回外側に折り返して８重にしたり、３回外側に折り返して１６重にしても構わないものであるが、１６重にしたものが使い勝手が最も良いものである。
【０００９】  縛り手段８の上から縛り手段８が見えないように、デザイン性のある紐９で縛り、泡立てネット装置１をフックに掛けることができるフック掛け用手段９を形成している。又見た目もデザイン性のある太目の紐を用いるのが望ましい。
【００１０】  次に本考案の第二の実施例について詳説すると、前記泡立てネット集合体４は、ネット状の第一の泡立てネット２に複数枚のネット状の泡立てネット３を重ねるとともに、前記第一の泡立てネット２及び前記泡立てネット３の短手方向の両端部を接合することで泡立てネット集合体４が構成される。
【００１１】  両端部を接合する方法は、熱溶着や高周波溶着や接着剤による方法、縫製による方法があり、任意に選択すればよいものである。
【００１２】  第一の泡立てネット２及び泡立てネット３は、材質がポリエチレンの網目化学繊維材料で形成されており、線径が０．２５ミリメートルで形成されており、速乾性と剛性に適している。第一の泡立てネット２及び泡立てネット３は、長さが１９０センチメートルのものを使用し、上方に３回折り返すことで２０センチメートルのものにしている。
【００１３】  図４で表したものは、上端部分５〜８センチ間を細い紐８で一か所しっかり縛り石鹸または洗顔料の塗布部５の説明図である。
泡立ネットが筒状であり、上部５〜８センチ部分縛る事で空気が抜けにくいのと泡立てネット下端には外周に８重にすることで厚みのある穴の中に通常の半分ほどの石鹸又は洗顔料を塗布し泡立てネット全体に軽く馴染ませたら空気を入れ込むように上下にポンプすることで泡立てネット下端部中央の外周の厚みのある穴に沢山の空気を取り込むことが出来、短時間でキメの細かいいしっかりしてツノが立つ泡が出来ます。泡立ネットを上下にポンプすることでネット自体が破れにくいのと長持ちし、石鹸又は洗顔料も通常の半分で済むので経済的にもよい。
【符号の説明】
【００１４】  １    泡立てネット装置
２    第一の泡立てネット２
３    泡立てネット
４    泡立てネット集合体
５    石鹸塗布部
６    泡立て部
７    泡立ネット本体
８    縛る縛り手段
９    フック掛け用手段
【図１】
0003233785.tif 000003
【図２】
0003233785.tif 000004
【図３】
0003233785.tif 000005
【図４】
0003233785.tif 000006